(57)【要約】【課題】照明機能と投写機能とを効果的（有効）に活用することが可能なプロジェクターを提供すること。【解決手段】プロジェクター１００は、一般家庭の照明用のソケット３４に接続部を装着することにより、簡便に取り付けることができる。そして、電子メールを受信する通信部を備えているため、通信部により受信したメールの内容に基づいて、画像信号を更新するとともに、光拡散調整部による変調光の拡散度合いを調整する。よって、急に外出することになったことを、これから帰宅する家族に伝えたい場合などは、帰宅した家族に対してのメッセージを記載したメールをプロジェクターに送信しておけば、帰宅した家族が玄関の照明スイッチを入れることにより、プロジェクターが起動して、照明機能を果たすとともに、当該メッセージを鮮明に投写表示させることができる。従って、照明機能と、メッセージを表示する投写機能とを効果的に活用することができる。【選択図】図１
2014021428.tif 000002
【特許請求の範囲】
【請求項１】
照明器具用のソケットに装着するための接続部と、
前記接続部に供給される電力によって発光する光源と、
前記光源が放つ光を画像信号に規定された変調光に変換する光変調部と、
前記光変調部に入射する光または前記光変調部から射出される光の、拡散度合いを調整する拡散調整部と、
通信ネットワークを介して所定情報を受信する通信部と、
前記通信部が受信した前記所定情報の内容に基づいて、前記画像信号を更新するとともに、前記拡散調整部による前記拡散度合いの調整を制御する制御部と、
を備えたことを特徴とするプロジェクター。
【請求項２】
前記制御部は、前記拡散調整部に前記光を拡散させる照明モードと、前記照明モードよりも拡散度合いが低い投写モードとを、前記所定情報の内容に基づいて切り換えることを特徴とする請求項１に記載のプロジェクター。
【請求項３】
受信した前記所定情報に、表示用のコンテンツが含まれている場合には、
前記制御部は、前記画像信号に前記コンテンツを重畳させるとともに、前記拡散度合いを前記投写モードにすることを特徴とする請求項２に記載のプロジェクター。
【請求項４】
受信した前記所定情報に、前記コンテンツが含まれている場合には、
前記制御部は、前記コンテンツの重畳を行う前に、前記コンテンツを読み込み中であることを示す画像を前記画像信号に重畳することを特徴とする請求項３に記載のプロジェクター。
【請求項５】
前記所定情報に、前記コンテンツへのリンクが含まれている場合には、
前記コンテンツは、前記通信ネットワークを介して前記リンク先から読み込まれることを特徴とする請求項３または４に記載のプロジェクター。
【請求項６】
前記照明モードで利用される画像信号を含む設定データを記憶する記憶部を、さらに備え、
前記接続部に電力が供給されると、前記制御部は、前記設定データに基づいて前記光変調部に前記光源が放つ光を変調させることを特徴とする請求項２〜５のいずれか一項に記載のプロジェクター。
【請求項７】
前記設定データには、階調のグラデーションを有する画像を含んだ前記画像信号が含まれていることを特徴とする請求項６に記載のプロジェクター。
【請求項８】
前記設定データには、
前記画像信号に加えて、
前記拡散調整部の前記拡散度合いを表す拡散度合いデータと、
前記照明モード、前記投写モードのいずれかを指定する識別子と、
前記照明モードにおける照明色を指定した照明色データと、
前記照明モードまたは前記投写モードの継続時間を指定した時間データと、のうちの少なくとも１つが含まれていることを特徴とする請求項６または７に記載のプロジェクター。
【請求項９】
前記拡散調整部は、ＰＤＬＣ装置、またはリバースモードＰＤＬＣ装置を含んでいることを特徴とする請求項１〜８のいずれか一項に記載のプロジェクター。
【請求項１０】
前記拡散調整部は、フォーカス調整レンズ、または光を透過して拡散する拡散板を含んでいることを特徴とする請求項１〜８のいずれか一項に記載のプロジェクター。
【請求項１１】
照明器具用のソケットに装着するための接続部と、
前記接続部に供給される電力によって発光する光源と、
前記光源が放つ光を画像信号に規定された変調光に変換する光変調部と、
前記光変調部に入射する光または前記光変調部から射出される光の、拡散度合いを調整する拡散調整部と、
通信ネットワークを介して所定情報を受信する通信部と、
を備えたプロジェクターの制御方法であって、
前記通信部が前記所定情報を受信するステップと、
前記通信部が受信した前記所定情報の内容に基づいて、前記画像信号を更新するとともに、前記拡散調整部による前記拡散度合いの調整を制御するステップと、
を備えたことを特徴とするプロジェクターの制御方法。
【発明の詳細な説明】
【技術分野】
【０００１】
本発明は、照明機器としても機能し得るプロジェクターおよびその制御方法に関する。
【背景技術】
【０００２】
会社や、役所などでは、会議室の壁面などにプロジェクターで資料を投写しながら、多人数で会議が行われることが多い。このような会議において、準備してあった資料のデータが間違っていたときなど、急遽、資料を差し替えたい場合がある。例えば、特許文献１には、このような状況に即した技術が開示されている。詳しくは、プロジェクターに受信機能などを附加することにより、緊急の電子メールを受信した場合には、投写していた資料に換えて、当該電子メールに添付された資料を投写するというものである。
【０００３】
また、特許文献２，３には、照明機器用のソケットに装着（固定）するための構成（プラグ）を有し、当該ソケットからの電力により、照明機能と映像の投写機能とを切り替え可能なプロジェクターが提案されている。
【先行技術文献】
【特許文献】
【０００４】
【特許文献１】特開２００９−３３５６号公報
【特許文献２】特開２００５−９９５８８号公報（図６）
【特許文献３】特開２００６−２２７１４３号公報
【発明の概要】
【発明が解決しようとする課題】
【０００５】
しかしながら、特許文献１の技術は、プロジェクターが設置されている会社の会議室などでの使用を前提としたものであり、使用シーンが限定されてしまう。特に、一般家庭においては、そもそもプロジェクター自体を持っていない世帯が多いため、当該技術を用いる機会がなく、汎用性が乏しいという課題があった。
【０００６】
他方、特許文献２，３の技術によれば、照明機器用のソケットに当該プロジェクターを装着することにより、照明機能と投写機能とを切替え可能となるが、どのような状況で２つの機能を切り換える（使い分ける）かといった具体的な方法に関する記載は見当たらず、２つの機能を効果的（有効）に活用することは困難であるという課題があった。
【課題を解決するための手段】
【０００７】
本発明は、上述の課題の少なくとも一部を解決するためになされたものであり、以下の適用例または形態として実現することが可能である。
【０００８】
（適用例）
照明器具用のソケットに装着するための接続部と、接続部に供給される電力によって発光する光源と、光源が放つ光を画像信号に規定された変調光に変換する光変調部と、光変調部に入射する光または光変調部から射出される光の、拡散度合いを調整する拡散調整部と、通信ネットワークを介して所定情報を受信する通信部と、通信部が受信した所定情報の内容に基づいて、画像信号を更新するとともに、拡散調整部による拡散度合いの調整を制御する制御部と、を備えたことを特徴とするプロジェクター。
【０００９】
この構成によれば、例えば、一般家庭の玄関ホールに設置されている照明器具用ソケットに、接続部を装着することにより、照明機器としても機能し得るプロジェクターを簡便に取り付けることができる。そして、当該プロジェクターは、電子メールなどの所定情報を受信する通信部を備えており、通信部により受信した所定情報の内容に基づいて、画像信号を更新するとともに、拡散調整部による拡散度合いを調整することができる。
【００１０】
よって、例えば、急に外出することになったことを、これから帰宅する家族に伝えたい場合などは、帰宅した家族に対してのメッセージを記載した電子メールをプロジェクターに送信しておけば、帰宅した家族が玄関の照明スイッチを入れることにより、プロジェクターが起動して、照明機能を果たすとともに、当該メッセージを鮮明に投写表示させることができる。従って、玄関ホールを照明するための照明機能と、メッセージを表示する投写機能とを効果的に活用することができる。換言すれば、照明機能と、投写機能とを効果的（有効）に活用することが可能で、汎用性に富んだプロジェクターを提供することができる。
【００１１】
また、制御部は、拡散調整部に光を拡散させる照明モードと、照明モードよりも拡散度合いが低い投写モードとを、所定情報の内容に基づいて切り換えることが好ましい。
【００１２】
また、受信した所定情報に、表示用のコンテンツが含まれている場合には、制御部は、画像信号にコンテンツを重畳させるとともに、拡散度合いを投写モードにすることが好ましい。
【００１３】
また、受信した所定情報に、コンテンツが含まれている場合には、制御部は、コンテンツの重畳を行う前に、コンテンツを読み込み中であることを示す画像を画像信号に重畳することが好ましい。
【００１４】
また、所定情報に、コンテンツへのリンクが含まれている場合には、コンテンツは、通信ネットワークを介してリンク先から読み込まれることが好ましい。
【００１５】
また、照明モードで利用される画像信号を含む設定データを記憶する記憶部を、さらに備え、接続部に電力が供給されると、制御部は、設定データに基づいて光変調部に光源が放つ光を変調させることが好ましい。
【００１６】
また、設定データには、階調のグラデーションを有する画像を含んだ画像信号が含まれていることが好ましい。
【００１７】
また、設定データには、画像信号に加えて、拡散調整部の拡散度合いを表す拡散度合いデータと、照明モード、投写モードのいずれかを指定する識別子と、照明モードにおける照明色を指定した照明色データと、照明モードまたは投写モードの継続時間を指定した時間データと、のうちの少なくとも１つが含まれていることが好ましい。
【００１８】
また、拡散調整部は、ＰＤＬＣ装置、またはリバースモードＰＤＬＣ装置を含んでいることが好ましい。
【００１９】
また、拡散調整部は、フォーカス調整レンズ、または光を透過して拡散する拡散板を含んでいることが好ましい。
【００２０】
（適用例）
照明器具用のソケットに装着するための接続部と、接続部に供給される電力によって発光する光源と、光源が放つ光を画像信号に規定された変調光に変換する光変調部と、光変調部に入射する光または光変調部から射出される光の、拡散度合いを調整する拡散調整部と、通信ネットワークを介して所定情報を受信する通信部と、を備えたプロジェクターの制御方法であって、通信部が前記所定情報を受信するステップと、通信部が受信した所定情報の内容に基づいて、画像信号を更新するとともに、拡散調整部による拡散度合いの調整を制御するステップと、を備えたことを特徴とするプロジェクターの制御方法。
【図面の簡単な説明】
【００２１】
【図１】実施形態１に係るプロジェクター使用シーンの一態様図。
【図２】光学系を主体としたプロジェクターの概略構成図。
【図３】プロジェクターの概略構成ブロック図。
【図４】プロジェクターの制御方法の流れを示したフローチャート図。
【図５】（ａ），（ｂ）プロジェクターの動作指示用メールの一例を示す図。
【図６】（Ａ）通常モードにおける駆動タイミングチャート図、（Ｂ）高速モードにおける駆動タイミングチャート図。
【図７】具体的なハードウェア構成の一態様を示したブロック図。
【図８】実施形態２における制御方法の流れを示したフローチャート図。
【図９】動作指示用メールの一例を示す図。
【図１０】（ａ），（ｂ）照明モードにおける画像イメージの一態様を示す図。
【図１１】（ａ），（ｂ）光拡散装置の異なる態様を示す図。
【発明を実施するための形態】
【００２２】
以下、本発明の実施形態について、図面を参照して説明する。なお、以下の各図においては、各層や各部位を図面上で認識可能な程度の大きさとするため、各層や各部位の縮尺を実際とは異ならしめてある。
【００２３】
（実施形態１）
《プロジェクター使用シーンの概要》
図１は、本実施形態に係るプロジェクター使用シーンの一態様図である。まず、本実施形態に係るプロジェクター１００の使用シーンの一事例について説明する。
【００２４】
プロジェクター１００は、一般家庭に設置されている照明用のソケットに取り付け可能なプロジェクターである。図１の事例では、玄関ホール３０の天井３３に設置されている照明機器（器具）用のソケット３４に、プロジェクター１００の接続部（プラグ）が固定されている。プロジェクター１００は、照明機器（器具）として機能する照明モードと、プロジェクターとして機能する投写モードとを切り替え可能な構成を有している。なお、具体的な構成、および２つのモードの切り替え方法などについては後述する。
【００２５】
図１には、夜間の留守宅に家人が帰宅した際に、玄関ホール用の照明スイッチ３２をオンすることによって、他の家人が残したメッセージがプロジェクター１００によって玄関ホール３０の床面３５に投写されている様子が示されている。投写画面（床面）には、「お帰りなさい。急用で外出します。２０：００時頃には帰宅します。」と投写されている。これは、急に外出することになった家人（例えば、妻）が、夜間に帰宅する家人（例えば、夫）宛てのメッセージを電子メール（以降、「メール」という）でプロジェクター１００に送信しておいたからである。
【００２６】
なお、プロジェクター１００の初期設定は、照明モードとなっており、照明スイッチ３２をオンすると照明が始まる。この際、受信したメール（所定情報）に含まれるコンテンツがテキスト主体のメッセージであれば、数秒程度でメッセージ表示に切り替わるため、ドア３１の施錠をしたり、靴を履き替えたりしている間にメッセージを伝達することができる。特に、照明モードから投写モードに切り替わる際には、照明の明るさや色調が変わるため、メッセージがあることを体感的（視覚）に認識させることができる。また、投写モードでも、夜間に周辺物を視認するのに十分な照度が確保されている。
【００２７】
《プロジェクターの構成について》
図２は、光学系を主体としたプロジェクターの概略構成図である。図３は、プロジェクターの概略構成ブロック図である。ここでは、前述したような機能を実現するためのプロジェクター１００の構成について説明する。
【００２８】
図２に示すとおり、プロジェクター１００は、略円筒状のケース４０の一端（面）にプラグ（口金）となる接続部９が取り付けられた構成をなしている。換言すれば、長めの（細長い）電球といった外観に形成されている。なお、この形状に限定するものではなく、ケース４０と接続部９とが一体になっていれば良い。例えば、球体であっても、多面体であっても良い、またはこれらを組み合せた立体であっても良い。
接続部９は、照明機器用の給電端子の一例である口金用ソケットにねじ込まれて固定され、当該口金用ソケットから電力の供給を受ける受電端子（プラグ）である。なお、接続部９に供給される電力は、交流でも直流でも良い。また、接続部９は、給電端子としてのコンセントに接続されるプラグであっても良い。
【００２９】
プロジェクター１００は、光源１と、光源１を駆動する光源コントローラー２と、光源１からの光を変調する空間光変調装置３と、空間光変調装置３に画像を書き込む表示コントローラー４と、光源１からの光が空間光変調装置３に照射されるように設けられた照射光学系５と、空間光変調装置３によって変調された光を投写する投写光学系６と、投写光学系６からの光の拡散度を調整する光拡散装置７と、光拡散装置７を制御する光拡散コントローラー８などを備えている。なお、光源部は、光源１、および光源コントローラー２から構成される。光変調部は、空間光変調装置３、および表示コントローラー４から構成される。拡散調整部は、光拡散装置７、および光拡散コントローラー８から構成される。
【００３０】
図３に示すとおり、さらにプロジェクター１００は、制御部１０、電源回路１７、ＩＲ受光部１１、インターフェイス部１８などを備えている。
【００３１】
制御部１０は、ＭＣＵ（Micro Controller Unit）であり、光源コントローラー２、表示コントローラー４、光拡散コントローラー８、ＩＲ受光部１１、インターフェイス部１８など各部を制御する。また、制御部１０には、記憶部１９が付属している。記憶部１９は、フラッシュを含む不揮発性メモリー、ＲＯＭ、およびＲＡＭを含んで構成されている。不揮発性メモリーには、照明モード、および投写モードを行うための順序と内容を規定したプログラムを含み、プロジェクター１００の動作を制御するための様々なプログラムおよび付随するデータが記憶されている。当該プログラムには、所定情報（メールなど）の受信の有無や、当該所定情報に含まれる設定データの内容に応じて、照明モードと投写モードとを切替える駆動プログラムも含まれている。また、付随するデータには、初期照明モードにおける画像信号、拡散度合いデータ、および光源のシーケンシャル駆動における駆動周波数を規定した駆動モードデータを含む初期照明用の設定データや、パーティー用、やすらぎ用など、使用シーンごとに設定された複数の設定データなどが含まれている。また、ＲＯＭにはＢＩＯＳが格納されている。
【００３２】
電源回路１７は、接続部９に供給される交流電力を直流電力に変換するＡＣ変換回路であり、変圧回路、整流回路、スイッチングレギュレーターなどの安定化電源回路を含んで構成されている。なお、接続部９に供給される電力が直流の場合には、変圧回路、整流回路は不要となる。また、電源回路１７は、接続部９に電力が供給されたことを検出する検出部としても機能する。
【００３３】
ＩＲ受光部１１は、プロジェクター１００を遠隔操作するためのリモコン（図示せず）からの赤外線による操作信号を受信する受光部である。インターフェイス部１８は、通信部１２、ＳＳＤ１３、メモリーカード部１４などから構成されている。
【００３４】
通信部１２は、無線ＬＡＮアダプターであり、外部ネットワーク（不図示）からプロジェクター１００に送信されるメールなどの所定情報を受信することができる。なお、実際の通信部としての機能は、通信部１２が受信する通信データの中から、所定情報を識別および解析する機能を担う制御部１０と対となって実現される。このような通信部（制御部１０と通信部１２との対）によれば、外部ネットワークを介して、外部のサーバーコンピューター、パーソナルコンピューター、スマートフォンまたはタブレットコンピューター（いずれも図示せず）にアクセスし、画像データや、動画データなどを読み出すこともできる。
【００３５】
ＳＳＤ１３は、フレッシュメモリードライブ装置である。メモリーカード部１４は、メモリーカードのカードスロットや、Ｉ／Ｏ（Input／Output）回路を含んで構成されている。カードスロットに挿入されたメモリーカード（不図示）には、プロジェクター１００が投写する画像が記憶されている。記憶されている画像は、通信部１２の機能により、外部ネットワーク経由で書き換え可能である。
【００３６】
なお、本明細書において「画像」は、静止画と動画とを包含する用語として定義されている。静止画は、スライドショーのように経時変化するものを含み、音声が伴われていてもよい。また、「画像」は、表示または投写される静止画または動画そのものを意味する場合もあるし、静止画または動画を表示／投写するためのデータ（ストリーミングデータを含む）を意味する場合もある。
【００３７】
図２に戻る。
光源１は、Ｒ（赤色光）に対応したＬＥＤと、Ｇ（緑色光）に対応したＬＥＤと、Ｂ（青色光）に対応したＬＥＤと、を備え、以下ではＲＧＢ光源１Ｒ，１Ｇ，１Ｂとも表記される。Ｒ，Ｇ，Ｂは、フルカラーを表示するための典型的な要素色の組合せ例である。よって、本実施形態の光源１は３つの異なる要素色に対応した３つのＬＥＤを含むが、他の実施形態では４つ以上の異なる要素色に対応したＬＥＤを含んでもよいし、２つの異なる要素色に対応したＬＥＤを含んでもよい。また、光源１は、ＬＥＤに代えて、有機または無機の半導体レーザー、または有機ＥＬ（エレクトロルミネッセント）素子を含んでもよいし、ＬＥＤまたはレーザーを励起光源とする蛍光体を含んでいてもよい。なお、以降の説明において、光源１Ｒ，１Ｇ，１Ｂによって合成された光を「照明光」という、また、当該照明光の色調を「照明色」という。この照明色は、設定データの照明色データにより規定されている。
【００３８】
照射光学系５は、ＲＧＢ光源１Ｒ，１Ｇ，１Ｂのそれぞれからの色光の光路を合成するダイクロイックプリズムと、フライアイレンズを含んだインテグレーターと、インテグレーターからの光の偏光を一つに揃える偏光変換素子と、を備えている。
【００３９】
本実施形態の空間光変調装置３は、単板の透過型液晶ライトバルブである。ここで液晶ライトバルブというとき、液晶ライトバルブは一対の偏光板とその間に位置した液晶パネルとを含んでいる。好適例として、ＲＧＢ光源１Ｒ，１Ｇ，１Ｂと空間光変調装置３とは、ＲＧＢシーケンシャル方式、すなわち色順次方式によって駆動される。そしてこのことによって、プロジェクター１００はフルカラーの照明または画像を投写し得る。
【００４０】
光拡散装置７は、投写光学系６が投写する光の光路上に位置している。光拡散装置７は、透過型のリバースモードＰＤＬＣ装置を含む。ＰＤＬＣは高分子分散液晶のことである。図示はしないが、リバースモードＰＤＬＣ装置は、一対の光透過性を有した電極と、当該一対の電極間に位置したリバースモードＰＤＬＣ層と、を含んでいる。一対の電極間に電位差がない場合には、リバースモードＰＤＬＣ層は光透過性を呈し、この結果、光は実質的な拡散を受けずに光拡散装置７を透過する。このときの光拡散装置７は非拡散状態にあると表現される。一方、一対の電極間に所定電位差が与えられた場合には、リバースモードＰＤＬＣ層は光拡散性を呈し、この結果、光は拡散されて光拡散装置７を透過する。このときの光拡散装置７は拡散状態にあると表現される。さらに、一対の電極間に与えられた電位差が０と所定電位差との間の中間的なものである場合には、リバースモードＰＤＬＣ層はその電位に応じた中間的な光拡散性を呈し、この結果、光は適度に拡散されて光拡散装置７を透過する。このときの光拡散装置７は中間的な拡散状態にあると表現される。このように、光拡散装置７は、プロジェクター１００が投写する画像または照明の拡散度を調整することができる。
【００４１】
リバースモードＰＤＬＣ層が光透過性を呈するときの透明度は、通常のＰＤＬＣ層が光透過性を呈するときの透明度よりも高い。このことは、光拡散装置７がリバースモードＰＤＬＣ層（またはリバースモードＰＤＬＣ装置）を備えることの利点の一つである。なお、用語「ＰＤＬＣ」は、「リバースモードＰＤＬＣ」と通常の「ＰＤＬＣ」との双方を包含するように定義されている。
【００４２】
《プロジェクターの動作》
図４は、プロジェクターの制御方法の流れを示したフローチャートである。ここでは、前述した「照明モード」と「投写モード」との切替えを含む駆動方法の流れについて、図４を中心に、図１，３を交えて説明する。なお、以下のフローは、記憶部１９の駆動プログラムに基づいて、制御部１０が通信部１２を含む各部を制御することにより実行される。
【００４３】
まず、照明スイッチ３２が押されてオン状態となり、接続部９に電力が供給される。
ステップＳ１では、各部の初期化を行う。詳しくは、電源回路１７から制御部１０、通信部１２を含む各部に電力が供給されて各部を起動する。続いて、記憶部１９から初期照明用の設定データを読み出し、光源コントローラー２には光源の初期用の駆動モードデータを、表示コントローラー４には初期の画像信号データをそれぞれ設定する。さらに、光拡散コントローラー８には初期の拡散度合いデータを設定する。なお、本実施形態において、初期の設定データは、照明モードに設定されている。
【００４４】
ステップＳ２では、初期照明用の設定データに規定された照明モードの点灯が実行される。詳しくは、ＲＧＢの各光源１Ｒ，１Ｇ，１Ｂが後述する「高速モード」の駆動周波数で、白色の光が合成されるように点灯駆動されて、空間光変調装置３に無地（ベタ）の画像が表示される。なお、照明の色は、白色に限らず、他の色（例えば、橙色）であってもよい。
【００４５】
ステップＳ３では、光拡散装置７の光拡散度合いが照明モードに調整される。詳しくは、投写光の外縁がぼやける程度の拡散度に調整される。なお、ここでは説明を解り易くするために、ステップＳ２，Ｓ３と２ステップに分けて説明しているが、実際は、この２つのステップは対として略同時に行われる。
【００４６】
ステップＳ４では、メール（所定情報）の受信があるか判断する。詳しくは、通信部１２を経由して受信した通信データの中にメールがあるか確認する。メールの受信があった場合（S4：Yes）には、ステップＳ５に進む。メールの受信がなかった場合（S4：No）には、ステップＳ２に戻り、初期設定の照明モードによる点灯を継続する。なお、本実施形態では、所定情報の一例としてメールを用いているが、例えば、制御用コマンドや、識別子を含むパケットデータなど、他の通信データを用いても良い。
【００４７】
ステップＳ５では、受信したメールの内容を確認および解析する。詳しくは、メールの内容の中から、設定データを読み取る。設定データには、照明モード／投写モードを識別するための識別子や、駆動モードデータ、画像信号データ、メッセージなどが含まれている。
【００４８】
ステップＳ６では、受信メールの指示が照明モードであるか判断する。詳しくは、照明モード／投写モードを選択するための識別子が０／１のいずれかであるか確認する。照明モードであった場合（S6：Yes）には、ステップＳ７に進む。照明モードではなかった場合（S6：No）には、ステップＳ８に進む。
【００４９】
ステップＳ７では、受信メールで指定された設定データが各部に設定される。詳しくは、光源コントローラー２には駆動モードデータが、表示コントローラー４には画像信号データがそれぞれ設定される。また、光拡散コントローラー８には拡散度合いデータが設定される。そして、受信メールで指定された設定データの設定が終了したら、ステップＳ２に進み、当該設定データによる照明モードの点灯が実行される。
【００５０】
ステップＳ８では、実行中の照明モードにおける設定データを記憶する。これは、投写モードに切り換える前に、実行中の設定データを記憶しておくためである。このステップでは、初期照明用の設定データとは異なる設定データで点灯が行われている場合もあるため、この設定データを記憶部１９に残しておくことにより後で再利用することができる。
【００５１】
ステップＳ９では、受信メールで指定された投写モード用の設定データが各部に設定される。詳しくは、光源コントローラー２には駆動モードデータが、表示コントローラー４には画像信号データがそれぞれ設定される。また、光拡散コントローラー８には拡散度合いデータが設定される。なお、このステップで扱われるメールには、投写モード用の設定データが記載されていることは自明である。
【００５２】
ステップＳ１０では、光拡散装置７の光拡散度合いが投写モードに調整される。詳しくは、拡散度合いを、照明用の点灯を行う照明モードよりも低くし、略ゼロ（実質的に拡散しないで透過する状態）となるように調整する。これにより、例えば、投写画像に文字が含まれている場合でも、文字の潰れが低減されて鮮明に表示される。
【００５３】
ステップＳ１１では、受信メールの投写モード用の設定データに規定された投写が実行される。詳しくは、ＲＧＢの各光源１Ｒ，１Ｇ，１Ｂが後述する「通常モード」の駆動周波数で点灯駆動されて、空間光変調装置３に、メールで指定されたメッセージや画像が表示される。なお、ここでは説明を解り易くするために、ステップＳ１０，Ｓ１１と２ステップに分けて説明しているが、実際は、この２つのステップは対として略同時に行われる。
【００５４】
ステップＳ１２では、受信メールの設定データで指定された投写時間が終了したか判断する。投写時間が終了した場合（S12：Yes）には、ステップＳ１３に進む。投写時間が終了していない場合（S12：No）には、ステップＳ１１に戻る。
【００５５】
ステップＳ１３では、ステップＳ８で記憶した照明モード用の設定データが各部に再設定される。詳しくは、光源コントローラー２には駆動モードデータが、表示コントローラー４には画像信号データがそれぞれ設定される。また、光拡散コントローラー８には拡散度合いデータが設定される。そして、照明モード用の設定データの設定が終了したら、ステップＳ４に進み、新たな受信メールがあるか確認する。なお、ステップＳ１２において投写時間が終了した場合でも、次の点灯（投写）が始まるまでの間は、ステップＳ１１の投写モードの点灯を継続している。これにより、投写（点灯）を途切れることなく行うことができる。また、本実施形態では、好適例として、投写時間終了後は、投写モード直前の照明モード（設定データ）に戻しているが、初期照明用の照明モードに戻ることであっても良い。
【００５６】
《受信メールの内容について》
図５（ａ），（ｂ）は、プロジェクター１００の動作指示用メールの一例である。ここでは、プロジェクター１００の動作指示メールの一例について説明する。
【００５７】
図５（ａ）に示すメール５０は、ヘッダー５１と、コンテンツ５２とから構成されている。前述の設定データは、コンテンツ５２に記載されている。なお、当該データがコンテンツ５２に記載されることに限定するものではなく、ヘッダー５１に記載されていても良いし、双方に跨って記載されていても良い。
【００５８】
まず、コンテンツ５２の２行目では、Ｃモードが設定されている。詳しくは、Ｃモードの設定領域内に記載されている「０」が識別子であり、これは通常の流れで処理を進めることを示している。設定領域内とは<C_MODE>と、</C_MODE>との間の領域のことである。以降のモードや、データについても同様に<****>と、</****>との間の領域が設定領域となる。なお、Ｃモードについては実施形態２で説明する。
【００５９】
３行目では、照明モード／投写モードの設定がなされている。詳しくは、モードの設定領域内に記載されている「０」が識別子であり、これは「照明モード」であることを示している。また、「１」の場合は「投写モード」を示している。
【００６０】
４行目には、光源１Ｒ，１Ｇ，１Ｂにより合成される照明色を規定した照明色データが記載されている。詳しくは、データの設定領域内に記載されている「R,33；G,FF;B,FF」が照明色データであり、この場合「明るい水色」が合成される。また、シーケンシャル駆動における「通常モード」と「高速モード」の設定については、このメールの場合、３行目の照明モード／投写モードの設定とリンクしている。詳しくは、照明モードの指定であれば「高速モード」に、投写モードの指定であれば「通常モード」に、それぞれ連結して設定される。
【００６１】
５行目には、拡散度データが記載されている。詳しくは、データの設定領域内に記載されている「５０」が拡散度データであり、この場合「５０％」の拡散度に設定される。
【００６２】
６行目には、拡散時間が記載されるが、このメールでは空欄となっている。この場合、拡散時間は、次の行の表示時間と同期させる設定となっている。
【００６３】
７行目には、表示時間が記載されている。詳しくは、データの設定領域内に記載されている「１２０」が時間データであり、この場合「１２０分間」が表示時間となる。なお、電源スイッチがオフされた場合は、設定時間未満であっても、表示は強制終了する。
【００６４】
８行目以降には、表示用のコンテンツが指定される。表示用コンテンツとしては、写真などの画像、動画、テキストによるメッセージ、および動画（コンテンツ）などへのリンクなどが含まれている。まず、８行目から９行目には、写真（画像）や、動画などの投写したい画像データ（表示用コンテンツ）が添付されるが、このメールでは何も添付されていない。この場合、画像データは無地の白（255階調）画像となる。
【００６５】
１０行目から１１行目には、表示用コンテンツとしてのメッセージ（テキスト）が記載されるが、このメールでは何も添付されていない。この場合、画像データは無地の白画像となる。このような設定データによる点灯は、無地で明るい水色の照明となる。
【００６６】
続いて、図５（ｂ）のメール５３の照明設定データについて説明する。なお、図５（ａ）での説明との相違点のみについて説明する。メール５３は、ヘッダー５４と、コンテンツ５５とから構成されている。照明設定データは、コンテンツ５５に記載されている。
【００６７】
メール５０との相違点は、まず、コンテンツ５５における３行目のモードの識別子が「１」となっており、「投写モード」の設定となっている。次に、４行目の照明色データが「R,FF；G,FF;B,FF」となっており、この場合「白色光」が合成される。また、５行目の拡散度データが「０」となっており、この場合「０％」の拡散度に設定され、シャープな画像が表示される。
【００６８】
７行目以降には、表示用コンテンツが指定されるが、７行目から８行目には、何も添付されていない。９行目から１１行目には、「お帰りなさい。急用で外出します。２０：００時頃には帰宅します。」というメッセージ（表示用コンテンツ）が記載されている。この指示により、表示コントローラー４において無地の画像信号にメッセージを重畳した画像信号が生成され、空間光変調装置３では文字部のみが黒（0階調）となった画像が表示される。このような投写モード用の設定データによる投写では、図１に示すように、白色光の照明の中に黒字のメッセージが鮮明に表示される。なお、この事例では、メッセージの文字色について指定がなかったため、標準の黒色が適用されているが、文字色を設定するコマンドも追加することができる。
【００６９】
なお、これらのメールは、専用のアプリケーションプログラムがインストールされたＰＣ、またはスマートフォンで、ＧＵＩを用いた専用のメールフォームに入力することで、簡単に作成できるようにすることが望ましい。
【００７０】
《光源の駆動モードについて》
図６（Ａ）は通常モードにおける駆動タイミングチャート図であり、（Ｂ）は高速モードにおける駆動タイミングチャート図である。前述したように、ＲＧＢ光源のシーケンシャル駆動は、投写モードでは通常モードに、照明モードでは高速モードになるように制御されている。ここでは、光源の駆動モードの詳細について説明する。
【００７１】
「通常モード」
図６（Ａ）に示すとおり、ＲＧＢシーケンシャル駆動または色順次駆動においては、フルカラーの１フレームが、時間的に連続した３つのフィールド画像で表現される。倍速駆動がない場合、ソースの画像のフレーム周波数Ｆframeが６０Ｈｚであれば、フィールド画像のＲＧＢ繰り返し周波数Ｆfieldは６０Ｈｚである。また、たとえば３倍速駆動の場合に、ソースの画像のフレーム周波数Ｆframeが６０Ｈｚであれば、フィールド画像のＲＧＢ繰り返し周波数Ｆfieldは１８０Ｈｚとなる。通常モードでＲＧＢ光源１Ｒ，１Ｇ，１Ｂを駆動する場合、ＲＧＢのフィールド画像に対応してＲ，Ｇ，ＢのＬＥＤも順次繰り返して駆動されるが、このときのＲＧＢ光源１Ｒ，１Ｇ，１Ｂの繰り返し周波数ＦＬnormalは６０Ｈｚ（３倍速駆動の場合は１８０Ｈｚ）となる。つまり、通常モードでは、フィールド画像のＲＧＢ繰り返し周波数Ｆfieldと、順次駆動されるＲＧＢ光源１Ｒ，１Ｇ，１Ｂの繰り返し周波数ＦＬnormalとが、同じである。なお、要素色の数も要素光源の数も３より多くてかまわない。
【００７２】
「高速モード」
図６（Ｂ）に示すとおり、高速モードの場合のＲＧＢ光源１Ｒ，１Ｇ，１Ｂの繰り返し周波数ＦＬhighは、通常モードの場合に空間光変調装置３に書き込まれていたフィールド画像のＲＧＢ繰り返し周波数Ｆfieldよりも高い。
【００７３】
もちろん、通常モードと高速モードとを定義するときに、単に、ＲＧＢ光源１Ｒ，１Ｇ，１Ｂの両モードでの繰り返し周波数ＦＬnormal、ＦＬhighの高低で表現されてもよい。高速モードでの繰り返し周波数ＦＬhighは通常モードでの繰り返し周波数ＦＬnormalよりも高く、本実施形態では通常モードでの繰り返し周波数ＦＬnormalの３倍である。
【００７４】
本実施形態では、プロジェクター１００が照明モードの場合に、ＲＧＢ光源１Ｒ，１Ｇ，１Ｂが高速モードで駆動されることから、投写モードの場合よりも色割れが知覚されにくくなる。また、照明モードの場合に、Ｒ，Ｇ，ＢのＬＥＤが点灯し得る時間期間（点灯可能期間）に重複がないことから光源駆動回路２５（図７）内に同一の回路を重複して備える必要がなくなり、回路構成を簡略化できる。また、投写モードの場合と同様にＲＧＢシーケンシャル駆動を行っているため、駆動制御を簡略化することができる。つまり、照明機器としても機能するプロジェクター１００を提供するにあたりコスト増を防げる。
【００７５】
図６（Ｂ）では、ＲＧＢ光源１Ｒ，１Ｇ，１Ｂが高速モードで駆動されることに併せて、空間光変調装置３に照明投写用の画像（画像データ）が書き込まれる。この画像は、たとえば一様な輝度分布で表される画像である。また、書き込まれた画像は、図６（Ｂ）に示すとおり空間光変調装置３において特にリフレッシュされなくてもよいが、リフレッシュされてもよい。リフレッシュされる場合には、書き込まれる画像がその輝度分布に経時変化を伴うものでもよい。リフレッシュのタイミングは、ＲＧＢ光源１Ｒ，１Ｇ，１Ｂのそれぞれの点灯可能期間の切り換わりのいずれかに合わせることが、視覚的なビートが生じにくいので、好ましい。ただし、リフレッシュの周波数は低いほうが好ましい。消費電力がより少なくなるからである。そこで、たとえば、書き込まれた画像が、ＲＧＢ光源１Ｒ，１Ｇ，１Ｂの繰り返し周波数より低い周波数でリフレッシュすることが考えられる。
【００７６】
ただし、空間光変調装置３がノーマリーホワイト（パラニコル）の液晶ライトバルブを含む場合には、画像（画像データ）が書き込まれなくても空間光変調装置３のそれぞれの画素領域が光を透過させることから、この場合には、ＲＧＢ光源１Ｒ，１Ｇ，１Ｂが高速モードで駆動されているときに、表示コントローラー４が空間光変調装置３に対して画像を書き込むことがなくてもよい。
【００７７】
高速モードの場合に投写される光の色は、ＲＧＢ光源１Ｒ，１Ｇ，１Ｂ間の発光強度比を変更することで変えることができる。また、当該光の色は、ＲＧＢ光源１Ｒ，１Ｇ，１Ｂのそれぞれの点灯可能期間内でのパルス幅（点灯期間幅）を変更することでも変えることができる。
【００７８】
《具体的なハードウェア構成について》
図７は、具体的なハードウェア構成の一態様を示すブロック図である。
ここでは、図７を参照しながら、より具体的なハードウェア構成の観点からプロジェクター１００を説明する。ただし、既出の構成要素に関しては、図において同じ符号を付し、その説明を省略している場合がある。
【００７９】
プロジェクター１００は、バス２０と、ソースの画像に対して解像度変換、さらに色補正や台形補正を施す画像処理回路２１と、画像処理回路２１によって処理された画像に基づいて空間光変調装置３に駆動信号を与えるライトバルブ駆動回路２２と、制御部１０と、接続部９と電気的に接続された電源回路１７と、ＲＧＢ光源１Ｒ，１Ｇ，１Ｂに駆動信号を与える光源駆動回路２５と、光拡散装置７に駆動信号を与える光拡散駆動回路２６と、リモコンからの赤外コマンドを受信するＩＲ受光部１１と、を備えている。これら構成要素は、制御部１０の制御のもとバス２０を介して通信可能である。
【００８０】
上述の光源コントローラー２は、制御部１０と光源駆動回路２５とによって実現される。表示コントローラー４は、制御部１０と、画像処理回路２１と、ライトバルブ駆動回路２２とによって実現される。光拡散コントローラー８は、制御部１０と光拡散駆動回路２６とによって実現される。通信部の機能は、制御部１０と、無線ＬＡＮアダプターからなる通信部１２とによって実現される。ただし、これら各部の構成は、本実施形態によるハードウェア構成に限定されず、同様な機能を発揮する他の均等な構成を含み得る。そして、これらは、それぞれ専用のハードウェアによっても実現され得る。
【００８１】
《「照明モード」と「投写モード」》
「照明モード」は、最も広義の定義によれば、プロジェクター１００が照明機器として屋内・室内または屋外にて「灯」を提供する機能を発揮する状態をいう。たとえば、「照明モード」は、照明投写用の画像を被投写面に投写している状態である。また、光拡散装置７が拡散状態にある状態としても定義される。あるいは、ＲＧＢ光源１Ｒ，１Ｇ，１Ｂが高速モードで駆動されている状態として定義されてもよい。
【００８２】
「照明モード」とは、上記３つの条件のうちの、少なくとも１つが満たされる場合であればよい。したがって場合によっては、プロジェクター１００が絵画、写真、動画、またはコンピューター画面を投写していても、光拡散装置７が拡散状態にあり、あるいはＲＧＢ光源１Ｒ，１Ｇ，１Ｂが高速モードで駆動されていれば、プロジェクター１００が「照明モード」にあるということがある。
【００８３】
「投写モード」は、最も広義の定義によれば、プロジェクター１００がなんらかの画像を投写している状態をいう。また、「投写モード」は、光拡散装置７が非拡散状態にある状態としても定義される。あるいは、ＲＧＢ光源１Ｒ，１Ｇ，１Ｂが通常モードで駆動されている状態として定義されてもよい。光拡散装置７が中間的な拡散状態にあるときを、投写モードに含めてよい。
【００８４】
上述した通り、本実施形態に係るプロジェクター１００、およびその制御方法によれば、以下の効果を得ることができる。
【００８５】
プロジェクター１００によれば、例えば、一般家庭の玄関ホールに設置されている照明用ソケットに接続部９を装着することにより、照明機器としても機能し得るプロジェクターを簡便に取り付けることができる。
【００８６】
そして、プロジェクター１００は、メール（所定情報）を受信する通信部を備えており、通信部により受信したメールの内容に基づいて、画像信号を更新するとともに、光拡散装置７による変調光の拡散度合いを調整することができる。詳しくは、拡散度合いを、照明用の点灯を行う照明モードよりも低くして、略ゼロにする。
【００８７】
よって、例えば、急に外出することになったことを、これから帰宅する家族に伝えたい場合などは、帰宅した家族に対してのメッセージを記載したメールをプロジェクターに送信しておけば、帰宅した家族が玄関の照明スイッチを入れることにより、プロジェクターが起動して、照明機能を果たすとともに、当該メッセージを鮮明に投写表示させることができる。
【００８８】
従って、玄関ホールを照明するための照明機能と、メッセージを表示する投写機能とを効果的に活用することができる。換言すれば、照明機能と、投写機能とを効果的（有効）に活用することが可能で、汎用性に富んだプロジェクター１００を提供することができる。
【００８９】
さらに、照明モードから投写モードに切り替わる際には、照明の明るさや色調が変わるため、メッセージがあることを体感的（視覚）に認識させることができる。よって、メッセージへの注目度が増し、メッセージを確実に伝えることができる。また、投写モードでも、夜間に周辺物を視認するのに十分な照度が確保されているため、メッセージを投写する際にも、照明装置として十分な機能を果たすことができる。
【００９０】
また、動作指示用のメール（所定情報）の設定データは、専用のアプリケーションプログラムがインストールされたＰＣ、またはスマートフォンで、ＧＵＩを用いた専用のメールフォームに入力することで、簡単に作成することができる。よって、プロジェクター１００を使い勝手良く利用することができる。
【００９１】
また、不図示のリモコンを用いることでも、プロジェクター１００を簡便に操作することができる。リモコンの操作ボタンには、照明モードと投写モードの切換えボタンや、パーティー用、やすらぎ用など、使用シーンごとに設定された複数の照明パターンごとの操作ボタンなどが設けられている。従って、使い勝手が良く、汎用性に富んだプロジェクター１００を提供することができる。
【００９２】
（実施形態２）
図８は、実施形態２における制御方法の流れを示したフローチャートである。実施形態２は、実施形態１とはプロジェクター１００の制御方法の一部が異なる。なお、プロジェクター１００の構成は、実施形態１と同一である。本実施形態の制御方法は、実施形態１（図４）の制御方法の一部を変更したものであるため、共通の処理動作など、重複する説明は省略する。また、図８の動作フローは、記憶部１９の駆動プログラムに基づいて、制御部１０が通信部１２を含むプロジェクター１００の各部を制御することにより実行されることも実施形態１と同様である。
【００９３】
本実施形態の制御方法は、例えば、投写モードで動画のメッセージを表示させたい場合のように、データの読み込みに時間を要する際に、ユーザーに対してメッセージ（コンテンツ）が来ていることをタイムリーに知らせたいケースで有効である。図５で説明した「Ｃモード」の識別子を活用して、図４の基本となる動作フローに「Ｃモード」の適用有無の判断処理を加えることにより、「メール（データ）の受信中」であることを投写できるようにしている。なお、「Ｃモード」は「１」で有効となり、投写モードにおいて受信メールがあることをタイムリーに投写する処理を行う。テキストメッセージが主体である場合など、通常の処理スピードで良い時には「０」を指定する。
【００９４】
まず、本実施形態の制御方法は、図４のフローチャートのステップＳ１〜Ｓ７をベース（共通）としているが、ステップＳ６のＮｏ側の分岐（ｊ）から、ステップＳ４に戻る分岐（ｋ）までのルーチンが異なる。換言すれば、本実施形態の制御方法は、図４のステップＳ８〜Ｓ１３処理を、図８のステップＳ２１〜Ｓ３４処理に入れ替えたものである。よって、共通部分の説明は省略して、図８のステップＳ２１〜Ｓ３４の処理について説明する。
【００９５】
ステップＳ２１では、実行中の照明用の設定データを記憶する。（図４のステップＳ８と同様）
【００９６】
ステップＳ２２では、受信メールの設定データにおけるＣモード指定が有効「１」であるか判断する。有効であった場合（S22：Yes）には、ステップＳ２３に進む。有効でなかった場合（S22：No）には、ステップＳ３０に進む。
【００９７】
ステップＳ２３では、「メール（データ）の受信中」を表示するための画像信号データを含む設定データが各部に設定される。なお、Ｃモード指定が有効の場合における設定データは、標準データとしてあらかじめ記憶部１９に格納されている。
【００９８】
ステップＳ２４では、光拡散装置７の光拡散度が投写モードに調整される。詳しくは、拡散度が略ゼロとなるように調整される。
【００９９】
ステップＳ２５では、Ｃモードが有効の場合における設定データに規定された投写が実行される。詳しくは、白色光の照明の中に黒字で「メッセージ受信中です。暫くお待ち下さい。」と表示される。なお、表示内容は、この文章に限定するものではなく「受信中」であることを認識させ得る文章や、画像であれば良い。例えば、砂時計の画像を用いても良い。
【０１００】
ステップＳ２６では、受信メールに添付されている画像データ（コンテンツ）を読み込んで投写設定データを設定する。または、受信メールで指定されたリンク先（ＵＲＬ）の画像データへアクセスしてストリーミング設定をする。
【０１０１】
ステップＳ２７では、投写設定（準備）が終了したか判断する。終了した場合（S27：Yes）には、ステップＳ２８に進む。終了していない場合（S27：No）には、ステップＳ２５に戻り、受信中投写を継続する。
【０１０２】
ステップＳ２８では、受信メールに添付されていた画像データの投写を行う。または、指定されたリンク先（ＵＲＬ）の画像データをストリーミング投写する。
【０１０３】
ステップＳ２９では、受信メールの設定データで指定された投写時間が終了したか判断する。投写時間が終了した場合（S29：Yes）には、ステップＳ３４に進む。投写時間が終了していない場合（S29：No）には、ステップＳ２８に戻り、投写を継続する。
【０１０４】
ステップＳ３０では、受信メールで指定された設定データが各部に設定される。（図４のステップＳ９と同様）
【０１０５】
ステップＳ３１では、光拡散装置７の光拡散度が投写モードに調整される。（図４のステップＳ１０と同様）
【０１０６】
ステップＳ３２では、受信メールの設定データに規定された投写が実行される。（図４のステップＳ１１と同様）
【０１０７】
ステップＳ３３では、受信メールの設定データで指定された投写時間が終了したか判断する。投写時間が終了した場合（S33：Yes）には、ステップＳ３４に進む。投写時間が終了していない場合（S33：No）には、ステップＳ３２に戻る。（図４のステップＳ１２と同様）
【０１０８】
ステップＳ３４では、ステップＳ２１で記憶した照明用の設定データが各部に再設定される。（図４のステップＳ１３と同様）再設定後、図４のステップＳ４（分岐ｋ）に戻る。
【０１０９】
《受信メールの内容について》
図９は、プロジェクター１００の動作指示用メールの一例であり、図５に対応している。ここでは、Ｃモードを有効とした動作指示用メールの一例であるメール５６について説明する。メール５６は、ヘッダー５７と、コンテンツ５８とから構成されている。なお、基本的なメールの構成、識別子、およびデータの種類などは、図５での説明と同様なため、相違点のみ説明する。
【０１１０】
まず、コンテンツ５８の２行目では、Ｃモードが「１」の有効で指定されている。これにより、受信メールがあることを告げる暫定メッセージを直ぐに投写する処理を行うことになる。３行目では、「１」の投写モードが指定されている。
【０１１１】
４行目の照明色データは、空欄（スペース）となっている。これは、暫定メッセージについては記憶部１９の標準データに基づいて投写すること、および、受信メールの画像データについては当該画像データの設定に従って投写することを指定している。
【０１１２】
５行目の拡散度データは、「０」の指定で、拡散度は略ゼロに設定される。６行目の表示時間は、空欄（スペース）となっている。これは、画像データが動画である場合、当該動画の再生が１回終了するまでの時間を指定している。
【０１１３】
７行目から９行目には、メッセージとして投写したいコンテンツ（プレイリスト）が指定されている。詳しくは、８行目に記載されている「http://www.*****.****.*****」が画像データ（コンテンツ）へリンクするためのＵＲＬとなっている。これにより、リンク先（ＵＲＬ）の動画などにアクセスしてストリーミングによる投写が実行される。
【０１１４】
図８に戻る。
図８のフローでは、Ｃモードの識別子が有効である場合に、メッセージを読み込み中であることを投写するものとして説明したが、Ｃモードの識別子を用いなくても良い。例えば、メールの中にメッセージが含まれている場合、または、投写モードの場合、該当するメールの全てに対して、メッセージ読み込み中表示を行うことであっても良い。この場合、ステップＳ２２、およびステップＳ３０〜Ｓ３３は不要となり、メッセージが含まれているか、投写モードの場合には、全てメッセージ読み込み中表示が入ることになる。なお、テキストだけの軽いメッセージの場合には、照明モードから、短時間の読み込み中表示が入って、直ぐに当該メッセージの投写に切替わるため、目障りになるが、例えば、読み込み中表示を最低２秒間表示する設定とすることにより、違和感は軽減される。
【０１１５】
上述した通り、本実施形態に係るプロジェクター１００の制御方法によれば、実施形態１での効果に加えて、以下の効果を得ることができる。
【０１１６】
この制御方法によれば、受信したメールに、メッセージ（コンテンツ）が含まれていた場合には、メッセージの投写を行う前に、「メッセージ受信中です。暫くお待ち下さい。」と投写されるため、リンク先から動画データを読み込む場合など、読み込みに時間を要するメッセージであっても、まず、メッセージがあることを確実に伝えることができる。
【０１１７】
また、Ｃモードの識別子を使えば、ユーザーが受信中表示を行うか否か選択することもできる。よって、メッセージ内容に応じて、効果的にプロジェクター１００を活用することができる。従って、使い勝手が良く、メッセージを確実に伝えることが可能なプロジェクター１００を提供することができる。
【０１１８】
なお、本発明は上述した実施形態に限定されず、上述した実施形態に種々の変更や改良などを加えることが可能である。変形例を以下に述べる。
【０１１９】
（変形例１）
図１０（ａ），（ｂ）は、照明モードにおける画像イメージの一態様を示す図である。
前記各実施形態では、照明モードにおける画像信号の一例として、無地の画像を規定した画像信号を説明したが、この構成に限定するものではなく、様々な画像（以降、「照明用画像」）を用いることができる。
【０１２０】
例えば、図１０（ａ）の照明用画像６０のように、横長の長方形をなした画像の外形（空間光変調装置３の表示面と略一致）の中心に、階調の異なる複数の円が同心円状に配置された画像であっても良い。詳しくは、中心の円６１が最も階調が高く（白：255階調）で、外側に行くほど徐々に階調が低くなって行き、長方形の周縁部では最も階調が低く（黒：0階調）なっている（以降、「同心円画像」という）。換言すれば、中心の円６１は、階調のグラデーションを有する画像である。
【０１２１】
また、図１０（ｂ）の照明用画像６２のように、複数の同心円画像が配置された画像でであっても良い。詳しくは、図１０（ａ）の同心円よりも一回り小さな同心円画像が中心に配置されており、その外側に、時計回りで２時、４時、８時、１０時の方向に、さらに小さな同心円画像６４ａ〜６４ｄが４つ均等に配置されている。なお、照明用画像は静止画像に限定するものではなく、動画であっても良い。例えば、中心の同心円画像の大きさを周期的に変化させたり、周辺に配置された４つの同心円画像が中心の同心円画像の周りをゆっくりと衛星のように周回する動画であっても良い。
【０１２２】
これらの照明用画像を照明モードで用いることにより、光拡散装置７を用いなくても、中心の円６１から徐々に暗くなるグラデーションの照明を行うことができる。換言すれば、光拡散装置７を用いなくても、画像信号によって照明の拡散度を調整することができる。さらに、これらの照明用画像と、光拡散装置７を組み合わせれば、より表現力豊かな照明を実現することができる。
【０１２３】
（変形例２）
図１１（ａ），（ｂ）は、光拡散装置の異なる態様を示す図である。図２の光拡散装置７は、ＰＤＬＣ装置以外にも、拡散板を利用した装置、およびフォーカスを調整するレンズを利用した装置のいずれかであってもよいし、これらの３つのうちの組合せであってもよい。本変形例の光拡散装置７１は、図１１（ａ）に示すように、拡散板７２を用いて拡散度の調整を行う。
【０１２４】
詳しくは、拡散板７２を利用する場合、光拡散装置７１は、光を拡散して透過する拡散板７２と、スライドさせることにより当該拡散板７２をプロジェクター１００の光路に挿入したり当該光路から外したりする機械的な機構７３と、を備えている。拡散板７２が挿入される位置は、光路上であればどこでもよく、空間光変調装置３とＲＧＢ光源１Ｒ，１Ｇ，１Ｂとの間の光路上でもよい。この点は、リバースモードＰＤＬＣ装置の場合もＰＤＬＣ装置の場合も同様である。つまり、光拡散装置７１は、空間光変調装置３に入射する光および空間光変調装置３から射出される光のいずれを拡散するようにしてもよい。ただし、最も外側の投写レンズより外側であれば、照明モードの場合にＲＧＢ光源１Ｒ，１Ｇ，１Ｂからの光を効率よく利用できるため、好ましい。
【０１２５】
拡散板７２はホイールの形状を有していてもよい。このとき、拡散板７２は、光を拡散する部分（拡散度が高い部分）と、実質的に拡散しないで透過する部分（拡散度が低い部分）と、拡散度が中程度の部分と、を含んでいてもよい。そして、光拡散コントローラー８の制御に応じて機構７３が当該ホイールを回転させることで、プロジェクター１００の光路上に、上記３つの部分のいずれかが位置する。
【０１２６】
また、フォーカスを調整するレンズ（フォーカスレンズ）を利用する場合には、投写モードでは、投写面にフォーカスを合わせるように制御し、照明モードでは、フォーカスを外す（ぼかす）ように制御すればよい。
【０１２７】
（変形例３）
図２を用いて説明する。
前記各実施形態では、プロジェクター１００の光源は、ＲＧＢの各色ＬＥＤ光源をシーケンシャル駆動する構成として説明したが、これに構成に限定するものではなく、例えば、白色光を放つ光源を用いた構成であっても良い。
【０１２８】
詳しくは、白色光源としては、白色ＬＥＤ、またはＥＬ素子が好適である。この構成の場合、照射光学系５のダイクロイックプリズムの代わりに、当該固体光源を配置する。また、空間光変調装置３はＲＧＢのカラーフィルターを有する単板で透過型のカラー液晶ライトバルブを用いる。なお、白色光源として、ハロゲンランプ、メタルハライドランプ、および高圧水銀ランプなどの放電式ランプを用いても良い。これらの構成によれば、前述したプロジェクター１００の機能を同様に得られるばかりでなく、光源が１つとなるため構成がシンプルとなり、また点灯駆動方法（回路）も簡素化することができる。
【０１２９】
（変形例４）
本実施形態によれば空間光変調装置３は単板の透過型液晶ライトバルブである。ただし、空間光変調装置３は、反射型液晶ライトバルブを含んでもよいし、デジタルミラーデバイス（ＤＭＤ）を含んでもよい。空間光変調装置３が反射型液晶ライトバルブ、デジタルミラーデバイス、その他ライトバルブを含む場合に、照射光学系５および投写光学系６をどのように改変すればよいかは当業者とって自明な範囲である。
【０１３０】
（変形例５）
前記各実施形態では、プロジェクター１００に電力が供給（電源ＳＷオン）されると、「照明モード」に入るものとして説明したが、これに構成に限定するものではなく、「投写モード」から始まることであっても良い。「投写モード」において、例えば「全黒」画像を投写した場合であっても、夜間において周囲の状況を確認するのには十分な照度が確保されているので、照明としての機能を果たすことができる。また、初期状態が「投写モード」となっていれば、よりタイムリーにメッセージ表示を行うことができる。
【０１３１】
（変形例６）
プロジェクター１００によれば、光拡散装置７が拡散状態と非拡散状態との間の遷移を周期的に繰り返すことが可能である。このような周期的な繰り返しは、魅力的な照明の演出となり得る。このとき、プロジェクター１００は、光拡散装置７が光を拡散している場合に照明投写用の画像を投写し、光を実質的に拡散していない場合には画像投写用の画像を投写する。あるいは、光拡散装置７が光を拡散していてもしていなくても、プロジェクター１００は画像用データに基づく画像を投写してもよい。
【０１３２】
（変形例７）
前記各実施形態では、プロジェクター１００を玄関ホールの天井に設置することとして説明したが、この構成に限定するものではなく、家庭内のいろいろな場所に設定することができる。例えば、キッチンや、ダイニングルーム、リビングルーム、書斎、寝室などに設置しても良い。キッチンの天井に設置した場合には、投写モードで料理のレシピを投写することもできるため、便利である。また、リビングルームに設置した場合には、気分を落ち着かせたいときに、図１０のような照明用画像を用いてゆったりとした動きのある照明を行うことで、リラクゼーション効果を得ることもできる。また、家庭内の用途に限定するものではなく、屋外で用いても良いし、電車や、バスなどの車内、飛行機の客室内など、様々な場所で使用することができる。
【符号の説明】
【０１３３】
１…光源、２…光源コントローラー、３…空間光変調装置、４…表示コントローラー、５…照射光学系、６…投写光学系、７，７１…光拡散装置、８…光拡散コントローラー、９…接続部、１０…制御部、１２…通信部、１７…電源回路、１９…記憶部、２０…バス、２１…画像処理回路、２２…ライトバルブ駆動回路、２５…光源駆動回路、２６…光拡散駆動回路、５０，５３，５６…動作指示用メール、７２…拡散板、７３…機構、１００…プロジェクター。
【図１】
2014021428.tif 000003
【図２】
2014021428.tif 000004
【図３】
2014021428.tif 000005
【図４】
2014021428.tif 000006
【図５】
2014021428.tif 000007
【図６】
2014021428.tif 000008
【図７】
2014021428.tif 000009
【図８】
2014021428.tif 000010
【図９】
2014021428.tif 000011
【図１１】
2014021428.tif 000012
【図１０】
2014021428.tif 000013